(57)【要約】【課題】浴室環境情報で利用する音響システムの調整方法について、個人差や環境にあわせた快適な利用が可能となる音響システムの調整方法を提供する。【解決手段】浴室環境に応じてスピーカー部６２から再生される音量を調節するよう構成されており、入浴者毎に設定され、浴室環境に応じて決定される個別音量情報を記憶する音量情報記憶部５１と、入浴者Ｈを識別するための入浴者識別部４１と、浴室環境情報を取得する浴室環境情報取得部３２と、入浴者識別部４１によって浴室２に入浴していると識別された入浴者の個別音量情報を音量情報記憶部５１から読み出して、個別音量情報と浴室環境情報取得部３２が取得した浴室環境情報とに基づいてスピーカー部６２の音量を決定する音量設定部６１と、音量に対する入浴者からの変更指示を受け付けると、その変更指示を音量情報記憶部５１に記憶されている個別音量情報に反映させる指示受付部４２とを備えている。【選択図】図１
2016181818.tif 000002
【特許請求の範囲】
【請求項１】
スピーカー部を備え、浴室内の音に関する浴室環境に応じて前記スピーカー部から再生される再生音の音量を調節する音響システムであって、
入浴者毎に設定されている、前記浴室環境に応じて決定される前記再生音の音量に関する個別音量情報を記憶する音量情報記憶部と、
前記浴室に入浴している入浴者を識別するための入浴者識別部と、
前記浴室環境に関する情報である浴室環境情報を取得する浴室環境情報取得部と、
前記入浴者識別部によって前記浴室に入浴していると識別された入浴者の前記個別音量情報を前記音量情報記憶部から読み出して、前記個別音量情報と前記浴室環境情報取得部が取得した前記浴室環境情報とに基づいて前記スピーカー部から再生される前記再生音の音量を決定する音量設定部と、
前記再生音の音量に対する入浴者からの変更指示を受け付けると、その変更指示を前記音量情報記憶部に記憶されている前記個別音量情報に反映させる指示受付部とを備える音響システム。
【請求項２】
前記浴室環境情報取得部は、前記浴室で利用される浴室設備の動作状況を前記浴室環境情報として取得する請求項１に記載の音響システム。
【請求項３】
前記浴室設備は、前記浴室で利用される給湯設備であり、
前記浴室環境情報取得部は、前記給湯設備で利用されている給湯速度に関する情報を前記浴室環境情報として取得する請求項２に記載の音響システム。
【請求項４】
前記浴室設備は、前記浴室の空気を流動させる空気流動設備であり、
前記浴室環境情報取得部は、前記空気流動設備によって前記浴室で流動させられている空気の流速に関する情報を前記浴室環境情報として取得する請求項２に記載の音響システム。
【請求項５】
前記スピーカー部は前記浴室に設けられている請求項１〜４の何れか一項の音響システム。
【請求項６】
前記入浴者識別部は、音声認識により前記入浴者を識別する請求項１〜５の何れか一項の音響システム。
【請求項７】
前記個別音量情報は、前記浴室環境に応じて決定される前記再生音の音量の標準設定値に対する増減量を決定するための、入浴者毎の増減設定値である請求項１〜６の何れか一項の音響システム。
【請求項８】
前記個別音量情報は、前記浴室環境に応じた、入浴者毎の前記再生音の音量を決定するための入浴者用標準設定値である請求項１〜６の何れか一項の音響システム。
【請求項９】
請求項２〜８の何れか一項に記載の音響システムに、前記浴室設備の動作状況を送信可能に構成された浴室。
【発明の詳細な説明】
【技術分野】
【０００１】
本発明は、スピーカー部を備え、浴室内の音に関する浴室環境に応じてスピーカー部から再生される再生音の音量を調節する音響システムに関する。
【背景技術】
【０００２】
浴室内において、音楽プレーヤーやテレビなどの音響機器で音楽を聴いたりテレビを視聴するための音声を聴く場合、例えば浴室に設けられたシャワーなどの浴室設備の動作音が騒音となり、音響機器の音が聞き取りにくくなるとの課題があった。
【０００３】
この課題を解決するために、例えばシャワーの流量などの、浴室設備の動作状態を検知し、予め定めた環境に対応して浴室の音響機器の音量を自動的に調整する技術が開示されている（特許文献１）。
【０００４】
また、入浴者によって調整された好みの音量とするための方法として、浴室設備の動作状態に合わせた音量調整を行いつつ、入浴中に音量を調整したときにはその調整後の音量が記憶音量としてメモリする技術が開示されている（特許文献２）。
【先行技術文献】
【特許文献】
【０００５】
【特許文献１】特開２０１０−２０６３７２公報
【特許文献２】特開２００８−１９３６０７公報
【発明の概要】
【発明が解決しようとする課題】
【０００６】
しかしこのような方法では、浴室設備の動作状況に応じてユーザの操作なく音響機器の設定変更が可能となるが、騒音に対してどの程度音量を上げれば快適な視聴ができるかは、個人差があり、予め定めた環境に対応して予め定めた動作となるような自動の音量の調整では、個人差によって、自動設定された音量がたとえば大きすぎたり小さすぎたりと感じられる問題があった。
【０００７】
本発明は、上記実情に鑑みてなされたものであり、その目的は、浴室環境情報で利用する音響システムの調整方法について、個人差や環境にあわせた快適な利用が可能となる音響システムを提供することにある。
【課題を解決するための手段】
【０００８】
上記目的を達成するための本発明に係る音響システムは、スピーカー部を備え、浴室内の音に関する浴室環境に応じて前記スピーカー部から再生される再生音の音量を調節する音響システムであって、入浴者毎に設定されている、前記浴室環境に応じて決定される前記再生音の音量に関する個別音量情報を記憶する音量情報記憶部と、前記浴室に入浴している入浴者を識別するための入浴者識別部と、前記浴室環境に関する情報である浴室環境情報を取得する浴室環境情報取得部と、前記入浴者識別部によって前記浴室に入浴していると識別された入浴者の前記個別音量情報を前記音量情報記憶部から読み出して、前記個別音量情報と前記浴室環境情報取得部が取得した前記浴室環境情報とに基づいて前記スピーカー部から再生される前記再生音の音量を決定する音量設定部と、前記再生音の音量に対する入浴者からの変更指示を受け付けると、その変更指示を前記音量情報記憶部に記憶されている前記個別音量情報に反映させる指示受付部とを備えるよう構成される点にある。
【０００９】
本特徴構成によれば、入浴者識別部で識別された入浴者の個別音量情報と、浴室環境情報取得部で取得された浴室環境情報とに基づいて、スピーカー部の音量を音量設定部で定めた後に、指示受付部が入浴者からの再生音の音量に対する変更指示を受けつけると、その変更指示を音量情報記憶部に、個別音量情報として、指示受付部が反映させるので、次回入浴者が入浴したときに、入浴者の好みに合わせた設定を行うことができるようになる。
【００１０】
本発明に係る音響システムの更なる特徴構成は、前記浴室環境情報取得部は、前記浴室で利用される浴室設備の動作状況を前記浴室環境に関する情報として取得する点にある。
【００１１】
本特徴構成によれば、浴室設備の動作状況に応じた音量を設定するので、入浴者の好みに合わせた設定を行うことができるようになる。
【００１２】
本発明に係る音響システムの更なる特徴構成は、前記浴室設備は、前記浴室で利用される給湯設備であり、前記浴室環境情報取得部は、前記給湯設備で利用されている給湯速度に関する情報を前記浴室環境情報として取得する点にある。
【００１３】
本特徴構成によれば、浴室設備の動作状況である給湯設備の給湯速度を取得して、給湯速度に対応する騒音に応じた音量を設定するので、入浴者の好みに合わせた設定を行うことができるようになる。
【００１４】
本発明に係る音響システムの更なる特徴構成は、前記浴室設備は、前記浴室の空気を流動させる空気流動設備であり、前記浴室環境情報取得部は、前記空気流動設備によって前記浴室で流動させられている空気の流速に関する情報を前記浴室環境情報として取得する点にある。
【００１５】
本特徴構成によれば、浴室設備の動作状況である空気流動設備の空気の流速に関する情報を取得して、空気流動設備の空気の流速に対応する騒音に応じた音量を設定するので、入浴者の好みに合わせた設定を行うことができるようになる。
【００１６】
本発明に係る音響システムの更なる特徴構成は、前記スピーカー部は前記浴室に設けられている点にある。
【００１７】
本特徴構成によれば、スピーカー部を前記浴室に設けることで、音響システムと浴室を一体に構成することができる。
【００１８】
本発明に係る音響システムの更なる特徴構成は、前記入浴者識別部は、音声認識により前記入浴者を識別する点にある。
【００１９】
本特徴構成によれば、入浴者が浴室で声を発すると、入浴者識別部が入浴者の音声を識別し、音響システムが入浴者を識別するので、入浴者の好みに合わせた設定を行うことができるようになる。
【００２０】
本発明に係る音響システムの更なる特徴構成は、前記個別音量情報は、前記浴室環境に応じて決定される前記再生音の音量の標準設定値に対する増減量を決定するための、入浴者毎の増減設定値である点にある。
【００２１】
本特徴構成によれば、浴室環境に応じて決定される再生音の音量の標準設定値に対する増減量を決定するための、入浴者毎の増減設定値を記憶するので、入浴者の好みに合わせた設定を行うことができるようになる。
【００２２】
本発明に係る音響システムの更なる特徴構成は、前記個別音量情報は、前記浴室環境に応じた、入浴者毎の前記再生音の音量を決定するための入浴者用標準設定値である点にある。
【００２３】
本特徴構成によれば、浴室環境に応じた、入浴者毎の前記再生音の音量を決定するための入浴者用標準設定値を記憶するので、入浴者の好みに合わせた設定を行うことができるようになる。
【００２４】
本発明に係る音響システムを利用するための浴室の特徴構成は、音響システムに、浴室設備の動作状況を送信可能に構成される点にある。
【００２５】
本特徴構成によれば、浴室は浴室設備の動作状況を送信するので、音響システムは、浴室から浴室環境情報を取得し、入浴者の好みに合わせた設定を行うことができるようになる。
【図面の簡単な説明】
【００２６】
【図１】浴室と一体に設けられた音響システムの実施形態を示す図
【発明を実施するための形態】
【００２７】
以下、図１に基づいて、本発明の実施形態に係る音響システムについて説明する。
【００２８】
本実施形態に係る音響システムは、図１に示すように音響システム１として浴室２と一体に設けられ、音を発する音響端末６のスピーカー部６２を備え、浴室内の音に関する浴室環境に応じて前記スピーカー部６２から再生される再生音の音量を調節するよう構成されている。
【００２９】
そしてこの音響システム１は、入浴者毎に設定されている、浴室環境に応じて決定される再生音の音量に関する個別音量情報を記憶する記憶部５の音量情報記憶部５１と、浴室２に入浴している入浴者Ｈを識別するための入浴者識別部４１であるマイク４と、浴室環境に関する情報である浴室環境情報を取得する浴室設備制御部３の浴室環境情報取得部３２と、入浴者識別部４１によって浴室２に入浴していると識別された入浴者Ｈの前記個別音量情報を前記音量情報記憶部５１から読み出して、個別音量情報と浴室環境情報取得部３２が取得した前記浴室環境情報とに基づいてスピーカー部６２から再生される前記再生音の音量を決定する音量設定部６１と、再生音の音量に対する入浴者Ｈからの変更指示を受け付けると、その変更指示を音量情報記憶部５１に記憶されている個別音量情報に反映させる指示受付部４２であるマイク４とを備えている。
【００３０】
浴室２は以下のように構成されている。
浴室２内に音響システム１の音響端末６のスピーカー部６２が設けられている。
また浴室２には浴室設備として、浴室２の室外に設置された給湯器２０、および浴室２の浴室内に設けられた空気流動設備である換気扇２１と、シャワー２０１と、湯張り栓２０２とを備えている。給湯器２０と、シャワー２０１と、湯張り栓２０２とは給湯設備である。給湯器２０は、浴室内に設けられたシャワー２０１と、湯張り栓２０２とに給湯可能であり、そしてそれぞれ独立して給湯速度可変に構成されている。
また浴室２は、浴室設備の動作を制御する浴室設備動作制御部３１を備えている。
さらに浴室２は、浴室２の集中制御装置として制御部１００を備えている。
【００３１】
制御部１００は、浴室設備制御部３と、マイク４と、記憶部５と、音響端末６と双方向通信可能な信号線Ｓ３，４，５，６で電気信号的に接続されており、制御部１００は浴室設備制御部３と、マイク４と、記憶部５と、音響端末６とから情報を受け取り、またこれらの動作を制御する。
本例では、音響システム１と浴室２とは制御部１００を共有している。つまり、制御部１００は音響システム１の制御装置でもあり、浴室２の集中制御装置でもある。
【００３２】
浴室設備制御部３は、浴室設備の動作を制御する浴室設備動作制御部３１と浴室環境を浴室環境情報として取得する浴室環境情報取得部３２とを有する。本例では、浴室環境情報取得部３２と浴室設備動作制御部３１は一体に構成されている。
【００３３】
浴室設備制御部３は、給湯器２０および換気扇２１と双方向通信可能な信号線Ｓ２０，２１で電気信号的に接続されている。そして浴室設備制御部３は、制御部１００と双方向通信可能な信号線Ｓ３で接続されており、制御部１００から浴室設備の動作指示を受け浴室設備の動作を制御し、また制御部１００に浴室設備の動作状況としての浴室環境情報を送信可能に構成される。
【００３４】
ここで、浴室設備制御部３の内部処理を説明する。
浴室設備動作制御部３１は、浴室設備の動作を制御するために、給湯器２０および換気扇２１から各々の動作状況を取得する。
【００３５】
そして浴室環境情報取得部３２は浴室設備動作制御部３１を経由して、浴室環境情報として、浴室２の浴室設備の動作状況である給湯器２０および換気扇２１の動作状況を取得する。つまり、浴室設備動作制御部３１は、浴室環境情報を浴室環境情報取得部３２に送信可能に構成されている。
給湯器２０の動作状況としては、シャワー２０１の給湯速度や、湯張り栓２０２の給湯速度が含まれる。換気扇２１の動作状況としては、換気扇２１の空気の流速に関する情報としての回転速度が含まれる。
【００３６】
マイク４は、音を電気信号に変換する装置である。このマイク４は、本例では入浴者識別部４１であり、同時に、音声認識で入浴者Ｈの指示受付が可能な指示受付部４２でもある。そしてマイク４は制御部１００と通信可能な信号線Ｓ４で接続されており、制御部１００にマイク４からの入力情報を送信する。
つまりマイク４は、指示受付部４２として入浴者Ｈの動作指示を入力する。この動作指示の一例が、スピーカー部６２の音量調整、すなわち音量の標準設定値に対する増減量である。
【００３７】
そして、この動作指示を指示受付部４２が入力したとき、同時に、音声によって、入浴者Ｈが誰であるのかを識別できる。つまり、入浴者識別部４１としても動作している。
【００３８】
記憶部５は、として入浴者Ｈの個別音量情報を記憶する音量情報記憶部５１と、システムの設定情報を記憶するシステム設定記憶部５２とを備えている。そして制御部１００と双方向通信可能な信号線Ｓ５で接続されており、制御部１００から送信された情報を記憶し、また制御部１００に記憶された情報を送信する。
【００３９】
音量情報記憶部５１は、あらかじめ入浴者Ｈが自らの情報を入力可能であり、また、入浴者Ｈが入力中に行った音響システム１に対して行った操作が記憶される。たとえば、入浴者Ｈの音響システム１の動作に関する音の大きさの好みが入浴者Ｈの個別音量情報として記憶されており、また入浴者Ｈが入力中に行った音量操作の結果が入浴者Ｈの個別音量情報として反映して記憶される。そして、個別音量情報は、浴室環境に応じて決定される前記再生音の音量の標準設定値に対する増減量を決定するための、入浴者毎の増減設定値を含むことができる。
【００４０】
具体的には、音量情報記憶部５１には、入浴者Ｈの音量の大小や音質の好みが個別音量情報として記憶されている。そして、指示受付部４２が、入浴者Ｈのスピーカー部６２の音量の大小などの設定を変更する変更指示を受け付けると、どのように音響システム１が動作しているときに、そしてどのような浴室２の環境の時に、どのようにスピーカー部６２の音量の大小などの設定変更をしたか、が記憶される。すなわち、浴室環境に応じて決定される再生音の音量の標準設定値に対する増減量を決定するための、入浴者毎の増減設定値が記憶される。
【００４１】
システム設定記憶部５２には、音響システム１の設定情報、特にスピーカー部６２の音量に関する設定が記憶される。すなわち、あらかじめ、どのような浴室環境であれば、音響システム１をどのように動作させるかの設定が記憶されている。たとえば、浴室環境に応じて決定されるスピーカー６２部の再生音の音量の標準設定値が記憶されている。
具体的にはシステム設定記憶部５２には、浴室設備である給湯器２０の動作状態や、シャワー２０１の給湯速度や、湯張り栓２０２の給湯速度や、換気扇２１の動作状態に基づいて、スピーカー部６２の音量を設定するための標準設定値が記憶されている。
【００４２】
そしてシステム設定記憶部５２には、浴室設備の動作がより激しいとき、たとえば給湯器２０の給湯速度が速いとか、空気流動設備である換気扇２１の空気の流速が大きいとき（換気扇の回転数が高いとき）、音響システム１の音量をより大きくするとの標準設定値が記憶されている。
【００４３】
つまりシステム設定記憶部５２には、浴室環境情報取得部３２が取得可能な浴室環境情報に基づいて設定される、音響システム１の設定情報、特にスピーカー部６２に設定される音量の初期設定が標準設定値として記憶されている。
【００４４】
音響端末６は、音量設定部６１とスピーカー部６２とで構成されている。
そして制御部１００と双方向通信可能な信号線Ｓ６で接続されており、制御部１００から送信された制御情報に対応して信号線Ｓ６２で接続されたスピーカー部６２を駆動する。また、スピーカー部６２は、音量設定部６１に設定された音量で駆動される。
【００４５】
音響端末６としてはたとえば浴室２の音声端末（音声で入浴者Ｈにアラートを発する端末）、浴室テレビ、ラジオ、音楽再生機、電話、などが例示される。つまり日常生活で利用される、音を発し、また音を再生するような機器全般が利用可能である。また、音には、音楽、音声、アラームや報知や警告音などが含まれる。
【００４６】
本例では、音響端末６は、浴室２の音声端末機能と、音楽再生機能と、浴室テレビと、ラジオと、浴室外との電話機能を備えている。そして、音響端末６は、マイク４を通じて、入浴者Ｈの音声で動作指示可能な音声入力機能を備えている。
【００４７】
空気流動設備について補足する。換気扇２１以外に例示される空気流動設備としてはたとえば、エアコン、浴室乾燥機、ミストサウナ、扇風機などが例示できる。
【００４８】
入浴者識別部４１と音量情報記憶部５１について補足する。
入浴者識別部４１は、入浴者Ｈである複数の入浴者Ｈｎのそれぞれに対応できる（ｎ＝１以上の整数）。そして、音量情報記憶部５１には、入浴者Ｈｎに対応した個別音量情報が記憶される。つまり、複数の入浴者Ｈに対応して個別に設定や記憶が可能である。
本例では、マイク４が入浴者識別部４１としても機能して取得した入浴者Ｈの音声で、入浴者Ｈｎを識別する。
【００４９】
以下、本例の音響システム１の動作について具体的な一例を説明する。
本例の音響システム１の音量の音量調整メモリは、スピーカー部６２のダイナミックレンジに対してメモリの範囲が「音量０〜２０」の２０段階で定められ、その調整はメモリの「０．５」単位で調節可能に構成されている。
【００５０】
本例の音響システム１は、音声認識で入浴者Ｈの指示受付が可能な指示受付部４２であるマイク４を経由して、音声で動作指示を出すことができる。たとえば、「ラジオを聴きたい」とか、「音楽を聴きたい」と指示を声で発すると、ラジオを再生し、また音楽を再生する。また、「うるさい」と声で指示すると、音量を1メモリ下げ、「聞こえない」と声で指示すると、音量を１メモリ上げる。また、「ちょっと聞こえない／ちょっとうるさい」と声で指示すると、音量を０．５メモリ上げ／下げるように構成されている。
【００５１】
まず、入浴者Ｈが、浴室２で入浴を開始する。このとき、入浴者Ｈは、シャワー２０１にて、中程度の水量である「水量６」シャワーを浴びている。シャワーを浴びながら、入浴者Ｈは、指示受付部４２であるマイク４を経由して、ラジオの再生を音響システム１に対して声で指示する。たとえば、「ラジオを聴きたい」と指示するのである。
【００５２】
すると、マイク４は、入浴者Ｈの声に対して入浴者識別部４１として機能し、制御部１００は、入浴者Ｈの声によって入浴者Ｈが入浴者Ｈ１であると特定する。
【００５３】
すると制御部１００は、音量情報記憶部５１から、入浴者Ｈ１の個別音量情報を読み出すと共に、システム設定記憶部５２から、音響システム１の初期設定を読み出す。また、制御部１００は、浴室環境情報取得部３２から、浴室２の浴室設備の動作状況である給湯器２０および換気扇２１の動作状況を取得する。
なお、制御部１００は、音量情報記憶部５１に入浴者Ｈ１に対応する個別音量情報が存在しなければ、音量情報記憶部５１に入浴者Ｈ１の個別音量情報を新たに作成する。
【００５４】
本例では、浴室環境情報取得部３２は、給湯器２０はシャワー２０１に「水量６」で給湯しており、湯張り栓２０２および換気扇２１は停止しているとの情報を制御部１００へ信号線Ｓ３を経由して送信し、制御部１００はこれを受け取る。
【００５５】
システム設定記憶部５２には音響システム１の初期設定として浴室環境情報に対応する標準設定値がシステム設定表として記憶されている。たとえば、シャワー２０１が、ある給湯速度として「水量６」で使用されているとき、その給湯速度に対応した標準の設定音量は、あらかじめ定められたシステム設定記憶部５２には「音量５」と定める旨の標準設定値が設定情報として記憶されている。
【００５６】
つまり、シャワー２０１が、「水量６」動作しているとの浴室環境情報を浴室環境情報取得部３２が取得すると、制御部１００は、システム設定記憶部５２から音響システム１の初期設定として「音量５」を読み出す。
【００５７】
システム設定表について補足する。
本例では、システム設定表として、浴室２の浴室設備の各設備の動作状況を１０段階に設定し、その段階に対応する音響システム１の初期設定が標準設定として記憶してある。たとえば、シャワー２０１の水量１０段階に対応して、その段階に対応する音量設定部６１が決定すべき音量設定が定めてある。
【００５８】
同じく音量情報記憶部５１には入浴者Ｈ１の個別音量情報としてとして「標準設定値に対して＋１の音量」を好むとの標準設定値に対する増減量が増減量設定値として記憶されている。つまり、制御部１００は、音量情報記憶部５１から入浴者Ｈ１の個別音量情報として入浴者Ｈ１に対応した「標準設定値に対して＋１の音量」とする旨の入浴者Ｈの増減設定値を読み出す。
【００５９】
そして、制御部１００は、シャワー２０１の給湯速度「水量６」に対応した、「音量５」とする旨の設定情報と、入浴者Ｈ１の好みとして「標準設定値に対して＋１メモリの音量」を定める旨の設定情報とによって、設定音量として「音量６」を音量設定部６１が決定し、スピーカー部６２で「音量６」でラジオを再生する。
【００６０】
その後、入浴者Ｈが、「ちょっと聞こえない」という指示を声で発すると、指示受付部４２がこれを検知して受け付け、制御部１００は、音量を「＋０．５メモリ」と変更する指示を音量設定部６１に設定すると、音量設定部６１は、スピーカー部６２の音量を音量６．５として決定し、ラジオを再生する。同時に、制御部１００は、音量情報記憶部５１の入浴者Ｈ１の個別音量情報を「標準設定値に対して＋１．５メモリの音量を好む」と書き換えて反映する。
【００６１】
もし、「うるさい」という指示を声で発すると、指示受付部４２がこれを検知し、制御部１００は、音量を「−１．０メモリ」と変更する指示を音量設定部６１に設定し、スピーカー部６２の音量を音量５．５としてラジオを再生する。同時に、制御部１００は、音量情報記憶部５１の入浴者Ｈ１の個別音量情報を「標準設定値に対して＋０．５メモリの音量を好む」と書き換えて反映する。
【００６２】
もし、音量を変更する指示が入浴者Ｈから無ければ、音量情報記憶部５１の入浴者Ｈ１の個別音量情報を書き換えず、維持する。
【００６３】
次回、入浴者Ｈ１が再び入浴するときには、この書き換えた音量情報記憶部５１の個別音量情報を利用される。
【００６４】
同様に、本例ではシステム設定記憶部５２は、湯張り栓２０２や、換気扇２１に対しても、その動作状況に応じた音響システム１の初期設定を有している。
【００６５】
本例では、複数の浴室設備を動作させる時には、システム設定表の音量設定のうち、設定音量が最も高い浴室設備の音量設定の値を選択して設定する。２つ以上が同じ設定音量となるときは、その設定音量に＋１メモリの値を設定音量として定めている。
【００６６】
また、入浴者Ｈ２、Ｈ３、・・・Ｈｎに対しても同様の設定や記憶が行われる。
【００６７】
また本例では、システム設定記憶部５２は、浴室２の浴室設備が同時に動作しているとき、つまり本例ではたとえば湯張り栓２０２と換気扇２１とが同時に動作しているとき、などの複数機器が動作しているときも、その動作状況の組み合わせに対して音響システム１の初期設定を有している。
【００６８】
以上のようにして本実施形態の浴室２の音響システム１は音響システム１の音量を、入浴者Ｈの希望に近しい音量に調整している。
［別実施形態］
【００６９】
（１）上記実施形態では、入浴者識別部４１をマイク４として音声認識する構成としたが、入浴者識別部４１は、タッチパネルでタッチ入力する構成とすることもできる。その他、顔認証や静脈認証でもいいし、指紋や掌紋でもよい。また、体重計での体重によって識別する構成としてもよい。さらには、入浴者Ｈが浴室２の脱衣所に持ち込んだスマートフォンなどの携帯端末によって入浴者Ｈを識別してもよい。
つまり入浴者Ｈが誰であるかを特定できる方法であればよい。
【００７０】
（２）上記実施形態では、指示受付部４２をマイク４とする構成としたが、指示受付部４２はタッチパネルやボタン、その他一般に用いられる設定方法や設定手段のいずれを用いてもよい。
【００７１】
（３）上記実施形態では、音響システム１と浴室２とを一体に設ける構成としたが、音響システム１と浴室２とを設備としては分離して構成することもできる。音響システム１と浴室２とは連携／連動して動作できればよい。
【００７２】
たとえば、音響システム１が音楽再生機能を有するスマートフォンであってもよい。この場合、スマートフォンである音響システム１は音響端末６でもあり、制御部１００と、浴室環境情報取得部３２と、マイク４（入浴者識別部４１、指示受付部４２）と、記憶部５（音量情報記憶部５１、システム設定記憶部５２）と、音量設定部６１とスピーカー部６２とで構成されている。
【００７３】
そして浴室２には、浴室設備動作制御部３１を備え、浴室設備の動作状況を送信可能に構成する。
【００７４】
このように音響システム１と浴室２とは分離して構成するとき、音響システム１の浴室環境情報取得部３２と、浴室２の浴室設備動作制御部３１は連携して動作し、実質的に一つの浴室設備制御部３として機能する。浴室環境情報取得部３２と、浴室２の浴室設備動作制御部３１とは、例えば無線通信によって接続することができる。この無線通信としては、例えば赤外線や、２．４ＧＨｚ帯の電波などが使用できる。
【００７５】
このように構成することで、様々な音響装置を音響システム１として利用できる。また、スマートフォンのような個人の携帯端末を音響システム１とすることで、個人の音の好みを携帯端末に確実に保存することができ、また音響システム１の利用時に、個人の好みを確実に反映することができる。
【００７６】
（４）上記実施形態では、標準設定値が設定情報（システム設定表）として数値で記憶されている構成を示したが、あくまで例示であり、標準設定値は数値である必要はない。たとえば、浴室環境情報や個別音量情報に対応する関数Ｆとして記憶されていてもよい。
つまり、関数がたとえば一次式で近似された関数である場合、制御部１００は、音量情報記憶部５１の入浴者Ｈ１の個別音量情報を関数として取り扱うことができる。
【００７７】
たとえば、音響システム１がある浴室環境において、音響システム１の標準設定値である音量５で動作しているとき、入浴者Ｈ２が音量を６に変更した場合「標準設定値に対して＋２０パーセントの音量を好む」と、個別音量情報である一次式の関数Ｆの比例定数を書き換えることができる。つまり、次回入浴者Ｈ２が入浴したとき、ある浴室環境において、たとえば音響システム１の標準設定が音量４であるとき、入浴者Ｈ２にあわせて音量４．８が設定される。
【００７８】
また、音響システム１がある浴室環境において、音響システム１の標準設定値である音量５で動作しているとき、入浴者Ｈ２が音量を６に変更した場合「標準設定値に対して＋１の音量を好む」と、個別音量情報である一次式の関数Ｆの切片を書き換えることもできる。つまり、次回入浴者Ｈ２が入浴したとき、ある浴室環境において、たとえば音響システム１の標準設定値が音量４であるとき、入浴者Ｈ２にあわせて音量５が設定される。
【００７９】
言うまでもなく、この関数Ｆは、二次式、三次式を含む、その他の関数、例えば対数を含む関数でもよい。
【００８０】
このように構成することで、音量情報記憶部５１、システム設定記憶部５２のデータ量を削減し、各種の浴室環境や入浴者Ｈの好みに対してシームレスな設定とすることができ、よりいっそう入浴者Ｈの希望に近しい音量に調整できるようになる。
【００８１】
（５）上記実施形態では、個別音量情報が入浴者毎の増減設定値である構成を示したが、あくまで例示であり、個別音量情報は必ずしも増減設定値である必要はない。
たとえば、個別音量情報は標準設定値に増減設定値を反映させた、入浴者毎の個別の設定値である入浴者用標準設定値としてもよい。
【００８２】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８３】
本発明は、浴室で用いられる音響システムとして用いることができる。
【符号の説明】
【００８４】
１        音響システム
２        浴室
２０      給湯器（給湯設備）
２０１    シャワー給湯器（給湯設備）
２０２    湯張り給湯器（給湯設備）
３２      浴室環境情報取得部
４１      入浴者識別部
４２      指示受付部
５１      音量情報記憶部
５２      システム設定記憶部
６１      音量設定部
６２      スピーカー部
Ｈ        入浴者
【図１】
2016181818.tif 000003